(57)【要約】【課題】ウール等の繊維製品に対して、処理後に乾燥するだけの操作で、良好なハリやコシを付与し、かつ、ごわつき感を生じさせない剤を提供すること。【解決手段】２糖、３糖から選ばれる少なくとも１種のオリゴ糖を含む繊維の風合い改善剤。オリゴ糖がトレハロースである態様が特に好ましく、製品としては、フォーム状、スプレー状、ジェル状等の種々形態で使用できる。【選択図】　　　なし【特許請求の範囲】
【請求項１】
重合度２ないし３のオリゴ糖から選ばれる少なくとも１種を含有することを特徴とする繊維の風合改善剤。
【請求項２】
オリゴ糖がトレハロースであることを特徴とする請求項１記載の繊維の風合改善剤。
【請求項３】
繊維製品にハリやコシを付与する仕上げ剤において、請求項１又は２記載の繊維の風合い改善剤を配合することを特徴とする繊維製品用仕上げ剤。
【発明の詳細な説明】
【０００１】
【発明の属する技術分野】
本発明は、繊維に適度なハリやコシを与える風合い改善剤とそれを配合する繊維製品用仕上げ剤に関する。
【０００２】
【従来の技術】
従来、洗濯を繰り返しことによって、衣服の織構造が緩んだり繊維が傷んだりしてハリやコシが衰えると、外観が悪くなり、着用時の感触も悪くなるという問題があった。さらに、従来家庭で洗わなかったデリケート衣料の家庭洗濯が、近年一般化してきたが、特にウールを含む衣料を洗濯した場合には、水への浸漬によって風合いが損なわれてしまい、特にスーツなどではハリやコシが失われて美観を損ねてしまうことに対する不満が増加している。また、洗濯した場合だけでなく、雨に濡れただけの場合においても、風合いや美観が損なわれてしまうために、良好なハリやコシを付与させる剤の提供が、より強く要望されている。
【０００３】
これまで、仕上げ剤を用いて綿や合成繊維等の衣服の強度を向上させる手法としては糊剤等を用いて高分子で表面をコートする手法が一般的に知られているが、これらの方法においては、塗布量が不均一化して局部的に製膜した場合にごわつきが生じたり外観を損なってしまうという問題ある。
【０００４】
これらのごわつき等の問題を避けるために高分子を用いない方法として、特開平１０−２５６６１号公報に多価アルコールを含む組成物を噴霧する方法が知られているが、有効成分が高沸点液体であるため多量に配合すると乾燥に時間がかかることがある。
【０００５】
一方、衣類の仕上げ剤を含む洗濯用品に糖を配合することは知られており、例えば特開２００２−８０３３６号公報には体臭抑制剤として、また、特開平１１−３２３３９２号公報には特定の酵素および界面活性剤と組み合わせることで泥汚れ洗浄効果が向上することが開示されている。衣類等の繊維製品の風合向上に対して、これらのオリゴ糖が効果を有することには全く言及されていない。
【０００６】
【発明が解決しようとする課題】
本発明は、前記諸問題を解決し、以下の目的を達成することを課題とする。即ち、本発明は、着用による劣化や、家庭洗濯や雨などで水に濡れたことによってハリやコシを失った衣類に対し、アイロンがけやスチームプレス等の面倒な作業がなくても、衣類に対し、浸漬もしくは噴霧で繊維に付着させた後に乾燥させるだけでも簡便な操作で風合いを改善することができ、ごわつきのない自然な感触をもたらす繊維製品用仕上げ剤を提供することを目的とする。
【０００７】
【課題を解決するための手段】
前記課題を解決するための手段としては、以下の通りである。即ち、
＜１＞　重合度２ないし３のオリゴ糖から選ばれる少なくとも１種を含有することを特徴とする繊維の風合い改善剤である。
＜２＞　オリゴ糖がトレハロースであることを特徴とする前記＜１＞に記載の繊維の風合改善剤である。
＜３＞　繊維製品にハリやコシを付与する仕上げ剤において、前記＜１＞又は＜２＞に記載の繊維の風合い改善剤を配合することを特徴とする繊維製品用仕上げ剤である。
【０００８】
【発明の実施の形態】
前記オリゴ糖は、例えば二糖として、麦芽糖、トレハロース、蔗糖、乳糖、パラチノースであり、三糖類として、マルトトリオース、ラフィノース、イソマルトオリゴ糖類、キシロオリゴ糖類などが挙げられ、これらは１種単独で使用しても２種以上を混合して使用しても良い。本発明の繊維用仕上げ剤において、オリゴ糖の含有量は特に限定はされないが、通常組成物全量に対し０．０５〜１０質量％が好ましく、０．２〜６質量％がより好ましく、０．４〜４質量％が更に好ましい。配合量が０．０５質量％以下の場合は目的の効果が得られず、また１０質量％を越える場合にはきしみやごわつきが発現し、好ましくない手触り感となる。
【０００９】
前記トレハロースは、Ｄ−グルコースが１．１結合した形の非還元性２糖の一種であり、通常α，α体が使用されるが、結合様式α，α−、α，β−、β，β−のいずれでも良い。
【００１０】
本発明の繊維用仕上げ剤組成物には、前述の必須成分以外に、本発明の目的を損なわない範囲で、使用されている各種添加成分を、所望に応じて配合することができる。このような添加成分としては、例えば陽イオン性高分子樹脂、陰イオン性高分子樹脂、非イオン性高分子樹脂、両性高分子村脂等のセット用ポリマー、陽イオン性界面活性剤、陰イオン性界面活性剤、非イオン性界面情性剤、両性界面活性剤、高重合シリコーン樹脂、クエン酸やコハク酸等の有機酸及びその塩、グリシンやアラニン等のアミノ酸、殺菌剤、紫外線吸収剤、酸化防止剤、高級アルコール、炭化水素、動植物油、エステル油、着色剤、香料、溶剤（エタノール、水等）及び脂肪酸等が拳げられる。これらの添加成分は１種用いてもよいし、２種以上を併用してもよい。
【００１１】
本発明の繊維用仕上げ剤組成物は、例えば液状、フォーム状、スプレー状、ジェル状、クリーム状及び粉末状等の多くの製品形態で幅広く利用できる。
【００１２】
次に実施例によって本発明をさらに詳細に説明するが、本発明はこれら実施例に制約されるものではない。尚、各成分の量は質量％である。
【００１３】
（洗濯後処理：実施例１〜９及び比較例１〜４）
３０ｃｍ角のウールサージ布２種類（それぞれウールサージＡ、ウールサージＢとする）、もしくは、ウールトロピカル布をライト系洗剤（アクロン：ライオン（株））で２分間軽く押し洗いし、ためすすぎを１分間２回、脱水を１分間行った後に２５℃、湿度４０％で一晩放置・乾燥させて手洗い布とした。
この手洗い布に対して、所定の添加物、ドバノックス（Ｃ１２−１３アルコールエチレンオキサイド９モル付加物）０．１質量％、及び残部が水からなる組成物２０ｇを霧吹きを用いて均一に噴霧し、２５℃、湿度４０％で一晩放置・乾燥させた。パネラー５名が感触を評価した後にＫＥＳ−ＦＢ計測システム（カトーテック株式会社製）を用いて機械的特性値を測定し、川端らの方法（川端季雄・丹羽雅子「風合い評価の標準化と解析　第２版」１９８０）にしたがい、ＫＮ−０１−ＳＵＭＭＥＲ（男性夏服スーツ用風合値計算式）によって基本風合い値を算出した。
組成物処理によるハリ値とコシ値の評価方法は以下の通りとした。
○：処理後に０．４以上増加した
△：処理後に０．２以上０．４未満増加した
×：処理後に０．２未満増加した
パネラーによるごわつき評価は専門パネラー５名によって行った。
○：５人中４〜５人がごわつきを感じなかった
△：５人中２〜３人がごわつきを感じなかった
×：５人中０〜１人がごわつきを感じなかった
これらの評価結果を表１に示す。
表中「トレハロースは」α，α−トレハロースを意味し、「アルギン酸ナトリウム」は大日本製薬社製　マニュゲルＧＭＢをし様した。
【表１】
2004036064.tif 000002
【００１４】
（洗濯前処理：実施例１０及び比較例５）
実施例１０としてトレハロース１０質量％、ドバノックス０．１質量％及び水残部からなる組成物２０ｇを３０ｃｍ角のウールサージ布Ａにまんべんなく吹きつけ、２５℃、湿度４０％で３０分放置、乾燥させたのちにライト系洗剤（アクロン：ライオン（株））で２分間軽くに押し洗いし、１分間のためすすぎを２回、脱水１分間を行った後に２５℃、湿度４０％で一晩放置・乾燥させ、ＫＥＳ−ＦＢ計測システム（カトーテック株式会社製）を用いて機械的特性値を測定し、川端らの方法（川端季雄・丹羽雅子「風合い評価の標準化と解析　第２版」１９８０）にしたがい、ＫＮ−１０１−ＳＵＭＭＥＲ（男性夏服スーツ用風合値計算式）によって基本風合値を算出した。組成物の噴霧なしで同様に洗濯した場合の比較例５の結果とあわせて表２に示した。
評価方法（ハリ値、コシ値）
○：原布と同じかそれ以上の高い値を示した
△：原布よりも０．２から０．４未満の低い値を示した。
×：原布よりも０．４以上の低い値を示した
【表２】
2004036064.tif 000003
【００１５】
【発明の効果】
本発明によれば、繊維製品の処理において、良好なハリやコシを付与して風合いを改善させ、かつ、ごわつき感を生じさせない剤を提供することができる。